(57)【特許請求の範囲】
【請求項１】
相対向する１対の上下面板と、該上下面板間に間置され複数の板体を係合するための板体係合部を側板内面に形成してなる１対の板体保持用側板とを有し、前記１対の板体保持用側板の少なくとも一方の板体保持用側板を、収納される板体の幅径に応じて他方の板体保持用側板と対向する方向に移動自在な板体保持用移動側板とした板体収納用ラックであって、
前記上下面板の外面に前記板体保持用移動側板の移動方向に沿って溝状に形成された位置設定係合部と、前記位置設定係合部は、溝底部および該溝底部に形成され、かつ前記上下面板を貫通する貫通溝を有しており、
前記位置設定係合部の前記溝底部に配置され、該位置設定係合部に沿って移動可能な係止部材と、
前記板体保持用移動側板の上下方向中途位置で該移動側板の板面に軸支された回動板と、
一端が前記位置設定係合部の前記貫通溝を通して前記係止部材に枢着され、他端が前記回動板に連結された杆体と、
前記板体保持用移動側板の上下方向中途位置に、かつ前記回動板の軸支位置から側板横幅方向内側へ離隔して軸支され、前記回動板の先端と揺動連結された操作レバーと、
を有し、前記操作レバーを一方向へ回転させた状態で前記杆体を介して前記係止部材が前記位置設定係合部と係合し、逆方向へ回転させた状態で前記係止部材が前記位置設定係合部に対し係合離脱状態となることを特徴とする板体収納用ラック。
【請求項２】
前記杆体は、上側の前記係止部材に一端が枢着され、他端が前記回動板に連結される上側杆体と、下側の前記係止部材に連結され、他端が前記回動板に連結される下側杆体とにより構成され、前記上側杆体および前記下側杆体のそれぞれ前記他端は前記回動板の回動中心の同心円上の相対向する位置に連結されて該回動板の回動により互いに反対方向に上下動することを特徴とする請求項１に記載の板体収納用ラック。
【請求項３】
前記杆体は、前記操作レバーの軸支位置に対してその両側に対称に設けられ、かつ各々の前記杆体の先端部に、それぞれ対応する前記位置設定係合部に配置された前記係止部材が枢着され、前記回動板は前記操作レバーの軸支位置に対し点対称に一対設けられることを特徴とする請求項１または２に記載の板体収納用ラック。
【発明の詳細な説明】
【技術分野】
【０００１】
本発明は、プリント基板、液晶ディスプレイ用基板、ガラス板、合成樹脂板等の板体を多数収納保持して工程作業や保管、搬送するために用いられる板体収納用ラックに係り、特に収納する板体の幅径に合わせて収納幅径を容易に変化させることができる板体収納用ラックに関する。
【背景技術】
【０００２】
従来、プリント基板、液晶ディスプレイ用基板等の板体を多数収納保持して工程作業や保管、搬送するに際しては、箱体や枠体の相対向する１組の側板の内面に複数の板体係合溝を形成し、この板体係合溝に板体の両端を係合させて収納する構造からなるラックを使用している。
【０００３】
そして、収納する板体の幅径が変化するたびに異なる収納幅径のラックを用意することは無駄が多いことから、板体の幅径に合わせてラックの収納域の幅径を可変させることのできるラックが用いられている。このラックは、板体係合溝を備えた一方の側板を固定し、かつ他方の側板を一方の側板に対して平行状態を保持したまま自在に移動することで、収納域の幅径が容易に設定できるものである。（特許文献１参照）
【特許文献１】特開昭６３−５９３８８号公報
【発明の開示】
【発明が解決しようとする課題】
【０００４】
しかしながら、上述した従来の板体収納用ラックにあっては、移動自在な他方の側板を固定する際、そしてその固定状態を解く際には、側板の上下左右の四隅に配設された固定レバー部材を倒したり起こしたりして操作しなければならず、手間がかかるものであった。１個所の固定レバーだけでも側板を固定することはできるものの、その固定した場所以外の側板部分は移動方向にがたついてしまい、板体を確実に収納することはできなかった。
【０００５】
そこで本発明は、移動自在な側板を容易に固定・解除することができる板体収納用ラックを提供することを目的とする。
【課題を解決するための手段】
【０００６】
前述の目的を達成するため、本発明の板体収納用ラックは、相対向する１対の上下面板と、該上下面板間に間置され複数の板体を係合するための板体係合部を側板内面に形成してなる１対の板体保持用側板とを有し、前記１対の板体保持用側板の少なくとも一方の板体保持用側板を、収納される板体の幅径に応じて他方の板体保持用側板と対向する方向に移動自在な板体保持用移動側板とした板体収納用ラックであって、前記上下面板の外面に前記板体保持用移動側板の移動方向に沿って溝状に形成された位置設定係合部と、前記位置設定係合部は、溝底部および該溝底部に形成され、かつ前記上下面板を貫通する貫通溝を有しており、前記位置設定係合部の前記溝底部に配置され、該位置設定係合部に沿って移動可能な係止部材と、前記板体保持用移動側板の上下方向中途位置で該移動側板の板面に軸支された回動板と、一端が前記位置設定係合部の前記貫通溝を通して前記係止部材に枢着され、他端が前記回動板に連結された杆体と、前記板体保持用移動側板の上下方向中途位置に、かつ前記回動板の軸支位置から側板横幅方向内側へ離隔して軸支され、前記回動板の先端と揺動連結された操作レバーと、を有し、前記操作レバーを一方向へ回転させた状態で前記杆体を介して前記係止部材が前記位置設定係合部と係合し、逆方向へ回転させた状態で前記係止部材が前記位置設定係合部に対し係合離脱状態となることを特徴とするものである。
【０００７】
また本発明は、前記杆体は、上側の前記係止部材に一端が枢着され、他端が前記回動板に連結される上側杆体と、下側の前記係止部材に連結され、他端が前記回動板に連結される下側杆体とにより構成され、前記上側杆体および前記下側杆体のそれぞれ前記他端は前記回動板の回動中心の同心円上の相対向する位置に連結されて該回動板の回動により互いに反対方向に上下動することを特徴とするものである。
【０００８】
また本発明は、前記杆体は、前記操作レバーの軸支位置に対してその両側に対称に設けられ、かつ各々の前記杆体の先端部に、それぞれ対応する前記位置設定係合部に配置された前記係止部材が枢着され、前記回動板は前記操作レバーの軸支位置に対し点対称に一対設けられることを特徴とするものである。
【発明の効果】
【０００９】
本発明の板体収納用ラックによれば、相対向する１対の上下面板と、該上下面板間に間置され複数の板体を係合するための板体係合部を側板内面に形成してなる１対の板体保持用側板とを有し、前記１対の板体保持用側板の少なくとも一方の板体保持用側板を、収納される板体の幅径に応じて他方の板体保持用側板と対向する方向に移動自在な板体保持用移動側板とした板体収納用ラックであって、前記上下面板の外面に前記板体保持用移動側板の移動方向に沿って溝状に形成された位置設定係合部と、前記位置設定係合部は、溝底部および該溝底部に形成され、かつ前記上下面板を貫通する貫通溝を有しており、前記位置設定係合部の前記溝底部に配置され、該位置設定係合部に沿って移動可能な係止部材と、前記板体保持用移動側板の上下方向中途位置で該移動側板の板面に軸支された回動板と、一端が前記位置設定係合部の前記貫通溝を通して前記係止部材に枢着され、他端が前記回動板に連結された杆体と、前記板体保持用移動側板の上下方向中途位置に、かつ前記回動板の軸支位置から側板横幅方向内側へ離隔して軸支され、前記回動板の先端と揺動連結された操作レバーと、を有し、前記操作レバーを一方向へ回転させた状態で前記杆体を介して前記係止部材が前記位置設定係合部と係合し、逆方向へ回転させた状態で前記係止部材が前記位置設定係合部に対し係合離脱状態としたことで、操作レバーを操作することで係止部材を同期させて上下面板に対し係止・離脱させることができ、これにより、板体保持用移動側板の固定・解除が１操作で容易に行うことができる。
【００１０】
また、板体保持用移動側板は上下面板に対して自在な位置で固定することができ、これにより収納域の幅径を好適に設定することができる。
【００１１】
前記杆体の先端に固定された前記係止部材が上下面板に対して係合方向または離脱方向へ同期して移動し、前記係止部材を位置設定係合部へ係止・離脱可能としたことで、回動板を回動することで板体保持用移動側板を上下面板に対して容易に係止・離脱することができる。
【００１２】
また、回動板の操作レバーを操作するだけで、全ての係止部材を同期させて、上下面板に対して板体保持用移動側板を係止・離脱することができる。
【発明を実施するための最良の形態】
【００１３】
図１は、プリント基板、液晶ディスプレイ用基板、ガラス板、合成樹脂板等の板体を収納保持して工程作業や保管、搬送するために用いられる本発明の板体収納用ラックを示している。この板体収納用ラック１は、一定間隔を設けて相対向する上下面板２と、この上下面板２間に間隔を設けて間置され内面に収納する板体Ｂを係合する板体係合溝４を水平方向に沿って複数形成した板体保持用固定側板３と、同じくこの板体保持用固定側板３に対して平行状態を保持し板体保持用固定側板３と対向する方向に移動自在でかつ板体係合溝４が内面に形成された板体保持用移動側板５と、上下面板２間に間置された４本の固定的な柱部材６とを備えている。
【００１４】
前記上下面板２の相対向する内面には、図１に示すごとく、それぞれ２本の長方体形状のラックギア７がレール状に並列して配設され、その各ラックギア７の上面と外側面の２つの面にギアを形成している。そして、この４本のラックギア７の上面側のギアは、板体保持用移動側板５における板体係合溝４が形成された面の裏面で、板体保持用移動側板５の上下両側部に左右方向に配設された２本の第１の回転軸８に配設されたギア（図示せず）と咬合している。同様に、４本のラックギア７の外側面側のギアは、板体保持用移動側板５の左右両側部に上下方向に配設された２本の第２の回転軸（図示せず）に配設されたギア（図示せず）と咬合している。これにより板体保持用移動側板５は、その左右が連動して傾くことなく一体的に移動するとともに、その上下も連動し傾くことなく一体的に移動するものである。
【００１５】
前記上下面板２における各ラックギア７の外側には、ラックギア７と平行して上下面板２を上下に貫通する係合溝である位置設定係合部９が形成されるとともに、この位置設定係合部９には、図２及び図３に示すごとく、これに沿って移動自在な合成樹脂製の係止片１０がそれぞれ配置されている。
一方、図２及び図３に示す板体保持用移動側板５の右側部には、上下の係止片１０の間に回動自在に配置された回転板１１と、この回転板１１の同心円上の相対向する位置に一端が軸支されかつ互いに反対方向に延出して他端が各係止片１０と係合する１対の杆体１２，１３とからなる第１の連結機構１４が配設されている。この杆体１２，１３における回転板１１に軸支される一端部分は、図４及び図５に示すごとく、回転板１１が回動する際に中心の軸にぶつからないように外方に湾曲する形状としている。
そして、その回転板１１を反時計回り方向に回動すると、図２及び図４に示すごとく、杆体１２，１３と係止片１０とからなる１対の係止部材が互いに内側に引っ張られる方向に移動して、係止片１０が、図６に示すごとく、上下面板２の位置設定係合部９部分を上下面板２外方から板体保持用移動側板５に圧接する。これにより、板体保持用移動側板５は上下面板２に対して固定される。
これと逆に、回転板１１を時計回り方向に回動すると、図３及び図５に示すごとく、杆体１２，１３が外側に押し出される方向に移動してその先端に係合する係止片１０が、図７に示すごとく、上下面板２の位置設定係合部９部分から離間する。これにより、板体保持用移動側板５は上下面板２に対する固定状態を解除される。
【００１６】
同様に、図２及び図３に示す板体保持用移動側板５の左側部には、上下の係止片１０の間に回動自在に配置された回転板１５と、この回転板１５の同心円上の相対向する位置に一端が軸支されかつ互いに反対方向に延出して他端が各係止片１０と係合する１対の杆体１６，１７とからなる第２の連結機構１８が配設されている。この杆体１６，１７における回転板１５に軸支される一端部分は、回転板１５が回動する際に中心の軸にぶつからないように外方に湾曲する形状としている。
そして、その回転板１５を反時計回り方向に回動すると、図２及び図４に示すごとく、杆体１６，１７と掛止片１０とからなる１対の係止部材が互いに内側に引っ張られる方向に移動して、係止片１０が、図７に示すごとく、上下面板２の位置設定係合部９部分を上下面板２外方から板体保持用移動側板５に圧接する。これにより、板体保持用移動側板５は上下面板２に対して固定される。
これと逆に、回転板１５を時計回り方向に回動すると、図３及び図５に示すごとく、杆体１６，１７が外側に押し出される方向に移動してその先端に係合する係止片１０が、図７に示すごとく、上下面板２の位置設定係合部９部分から離間する。これにより、板体保持用移動側板５は上下面板２に対する固定状態を解除される。
【００１７】
さらに、上記２つの第１の連結機構１４と第２の連結機構１８を一体的に連動させるために、板体保持用移動側板５に配設された第１の連結機構１４と第２の連結機構１８の間に回動板連結部材１９が配設されている。この回動板連結部材１９は、図２及び図３の右側の第１の連結機構１４の回転板１１から延出する操作杆２０と、図２及び図３の左側の第２の連結機構１８の回転板１５から延出する操作杆２１とを連動させるべく、その中央に把持するための回転自在なレバー２２と、該レバー２２と一体的に配設され、前記操作杆２０の先端と操作杆２１の先端を移動自在に軸支する操作レバー２３とから構成されている。
そして、この操作レバー２３と一体になったレバー２２を時計回り方向に回動すると、図２に示すごとく、第１の連結機構１４の回転板１１と第２の連結機構１８の回転板１５は反時計回り方向に回動し、これにより上述したごとく４つの係止片１０は上下面板２の位置設定係合部９部分を板体保持用移動側板５に圧接して板体保持用移動側板５を固定する。
その逆に、前記回動板連結部材１９の操作レバー２３と一体になったレバー２２を反時計回り方向に回動すると、図３に示すごとく、第１の連結機構１４の回転板１１と第２の連結機構１８の回転板１５は時計回り方向に回動し、これにより上述したごとく４つの係止片１０は上下面板２の位置設定係合部９部分を板体保持用移動側板５から離間させて板体保持用移動側板５の固定を解除する。
【００１８】
尚、上述した実施例にあっては、回転板やレバーの回転方向と係止片による係止・解除について説明したが、その回転方向と係止片の動作は一例であって、これに限定されることなく、係止片による係止・解除を上述したレバーの回転方向と逆方向にしたり、レバーの動作を回転ではなくスライドとしたり、また係止片を上下面板間の内側に配設して圧接して係止させたりしてもよいものである。
【図面の簡単な説明】
【００１９】
【図１】本発明の板体収納用ラックの斜視図である。
【図２】本発明の板体収納用ラックの連結機構と回動板連結部材の動作を示す説明図である。
【図３】本発明の板体収納用ラックの連結機構と回動板連結部材の動作を示す説明図である。
【図４】本発明の板体収納用ラックにおける回転板と杆体の動作を示す説明図である。
【図５】本発明の板体収納用ラックにおける回転板と杆体の動作を示す説明図である。
【図６】本発明の板体収納用ラックにおける係止片の動作を示す説明図である。
【図７】本発明の板体収納用ラックにおける係止片の動作を示す説明図である。
【符号の説明】
【００２０】
１  板体収納用ラック
２  上下面板
３  板体保持用固定側板
４  板体係合溝
５  板体保持用移動側板
６  柱部材
７  ラックギア
８  第１の回転軸
９  位置設定係合部
１０  係止片
１１  回転板
１２  杆体
１３  杆体
１４  第１の連結機構
１５  回転板
１６  杆体
１７  杆体
１８  第２の連結機構
１９  回動板連結部材
２０  操作杆
２１  操作杆
２２  レバー
２３  操作レバー
Ｂ  板体
【図１】
0005203684.tif 000002
【図２】
0005203684.tif 000003
【図３】
0005203684.tif 000004
【図４】
0005203684.tif 000005
【図５】
0005203684.tif 000006
【図６】
0005203684.tif 000007
【図７】
0005203684.tif 000008